(57)【特許請求の範囲】
【請求項１】
一組の電柱の間に、二本のメッセンジャーワイヤを略平行状態で張設し、
一方の前記メッセンジャーワイヤには、一方の前記電柱、又は／及び他方の前記電柱から延設した一つ以上の引込線を懸架すると共に、一方の前記メッセンジャーワイヤの途中から他方の前記メッセンジャーワイヤと反対側に配置された一つ以上の家屋に向けて、前記引込線を分岐し、
他方の前記メッセンジャーワイヤには、一方の前記電柱、又は／及び他方の前記電柱から延設した一つ以上の引込線を懸架すると共に、他方の前記メッセンジャーワイヤの途中から一方の前記メッセンジャーワイヤと反対側に配置された一つ以上の家屋に向けて、前記引込線を分岐する、引込線の途中支持工法。
【請求項２】
二本の前記メッセンジャーワイヤを地上から略同じ高さに施設する、請求項１記載の引込線の途中支持工法。
【請求項３】
請求項１又は２に記載の引込線の途中支持工法に用いられる引込線の途中支持工法用の支持具であって、
電柱の外周を包囲自在に締結する帯状のバンド部材と、
前記バンド部材と揺動自在に連結する一山クレビス形の第１支持部を一端部に有し、一山クレビス形の第２支持部を他端部に有するリンク部材と、
前記リンク部材の第２支持部揺動自在に連結する二山クレビス形の第３支持部を頂点部に有し、ねじ取り付け穴を底辺部の両端部に開口した三角体状のヨーク部材と、
前記ねじ取り付け穴に締結自在な雄ねじ部を軸部に有し、一山クレビス形の第４支持部を頭部に有するアイボルトと、
前記アイボルトの第４支持部と揺動自在に連結する二山クレビス形の第５支持部を一端部側に有し、メッセンジャーワイヤを巻き掛け自在なＵ字状の溝を外周に形成したシンブルを他端部側に有する引留部材と、を備える、引込線の途中支持工法用の支持具。
【請求項４】
一組の電柱の間に、一対の前記ヨーク部材を対向配置している、請求項３記載の引込線の途中支持工法用の支持具。
【発明の詳細な説明】
【技術分野】
【０００１】
本発明は、引込線の途中支持工法に関する。特に、一組の電柱の間に張設したメッセンジャーワイヤに引込線を懸架し、メッセンジャーワイヤの途中から引込線を家屋などに引き込む引込線の途中支持工法に関する。
【背景技術】
【０００２】
例えば、一組の電柱の間に架設した高圧配電線から降圧した引込線を家屋などに引き込むことがある。この引込線は、電柱から家屋の引込口に引き込むことが多い。
【０００３】
一方、市街地などでは、電柱と家屋との離隔距離が長く、直接、電柱から引込線を家屋の引込口に引き込むことが困難なことがある。この場合、一組の電柱の間にメッセンジャーワイヤを張設し、メッセンジャーワイヤに引込線を懸架させる引込線の途中支持工法が知られている（例えば、特許文献１参照）。
【先行技術文献】
【特許文献】
【０００４】
【特許文献１】特開２００９−４４９３９号公報
【発明の概要】
【発明が解決しようとする課題】
【０００５】
図４は、従来技術による引込線の途中支持工法の装柱状態を示す図であり、図４（Ａ）は、装柱状態を示す平面図、図４（Ｂ）は、装柱状態を示す正面図である。
【０００６】
図５は、従来技術による引込線の途中支持工法で使用される絶縁ハンガーの構成を示す図であり、図５（Ａ）は、絶縁ハンガーの正面図、図５（Ｂ）は、絶縁ハンガーの右側面図である。
【０００７】
図６は、従来技術による引込線の途中支持工法で使用されるバインドレス碍子の構成を示す斜視図である。なお、本願の図４から図６は、特許文献１の図９から図１１に相当している。
【０００８】
図４を参照すると、一組の電柱Ｐ・Ｐの間には、玉碍子Ａｉを介して、メッセンジャーワイヤＷｍを張設している。メッセンジャーワイヤＷｍの末端部は、電柱Ｐに固定した支持バンドＢに係留している。一組の玉碍子Ａｉ・Ａｉの間には、複数の絶縁ハンガー８を略等間隔でメッセンジャーワイヤＷｍに取り付けている。これらの絶縁ハンガー８は、家屋Ｈ１・Ｈ２・Ｈ３・Ｈ４の各引込口まで配置されている（図４（Ａ）参照）。
【０００９】
図５を参照すると、絶縁ハンガー８は、ケーブル保持部８１ｃと一対の鉤状のフック部８１ａ・８１ｂで構成している。ケーブル保持部８１ｃは、線状部材８１を螺旋状に略１周分湾曲させて形成している。一対のフック部８１ａ・８１ｂは、線状部材８１の両端部に形成している。又、絶縁ハンガー８は、絶縁性を有する被覆材８１ｉでケーブル保持部８１ｃを被覆している。
【００１０】
図４（Ｂ）又は図５を参照して、ケーブル保持部８１ｃには、引込線Ｗｅをその外周方向から導入できる。一対のフック部８１ａ・８１ｂは、メッセンジャーワイヤＷｍを係止できる。このように、複数の絶縁ハンガー８をメッセンジャーワイヤＷｍに吊り下げることで、メッセンジャーワイヤＷｍに沿って、引込線Ｗｅを架線できる。
【００１１】
図４（Ｂ）を参照すると、高圧配電線Ｗは、接続材Ｔｃを介して、引下線Ｗｆを分岐している。引下線Ｗｆは、電柱に沿って下向きに延設している。引下線Ｗｆは、図示しない変圧器に接続している。そして、一方のバインドレス碍子９を介して、変圧器で降圧した引込線ＷｅがメッセンジャーワイヤＷｍに吊り下げられている。
【００１２】
図６を参照すると、バインドレス碍子９は、直方体状の本体９１と一対一組の巻付突起９２・９２で構成している。本体９１は、磁器又は合成樹脂で構成している。一対一組の巻付突起９２・９２は、本体９１の両側面から相反する向きに突出している。一方の一組の巻付突起９２・９２には、引込線Ｗｅを巻き付けることができる。
【００１３】
図６を参照すると、本体９１は、その一端部側に長穴９１ｈを開口している。長穴９１ｈには、引込用フック９ｆの一端部を係留している。一方、図４（Ｂ）を参照すると、電柱Ｐには、腕金Ａを固定している。腕金Ａの両端部には、笠状の引込線用引留金具Ｂｒを固定している。
【００１４】
図６を参照すると、引込線用引留金具Ｂｒには、引込用フック９ｆの他端部を係留している。これにより、一方のバインドレス碍子９を腕金Ａに引留支持できる（図４（Ｂ）参照）。
【００１５】
図４（Ｂ）を参照すると、複数の絶縁ハンガー８の端部側には、引込線途中支持具（以下、途中支持具と略称する）Ｂｃを配置している。途中支持具Ｂｃは、帯板状の支持板と板ナットで構成している。そして、支持板と板ナットの間にメッセンジャーワイヤＷｍを配置し、板ナットにボルトを締結することで、途中支持具Ｂｃは、メッセンジャーワイヤＷｍを挟持している。
【００１６】
図４（Ｂ）を参照すると、途中支持具Ｂｃは、その端部にバインドレス碍子９を連結している。そして、複数の絶縁ハンガー８で懸架された引込線Ｗｅは、バインドレス碍子９に支持された後に、例えば、家屋Ｈ１の引込口などに向かって引き込まれている（図４（Ａ）参照）。
【００１７】
図４（Ａ）を参照すると、メッセンジャーワイヤＷｍは、引込線Ｗｅによって、メッセンジャーワイヤＷｍの両側に相反する向きに引き合う状態になっている。一方の家屋Ｈ１・Ｈ２の引込線Ｗｅの張力が他方の家屋Ｈ３・Ｈ４の引込線Ｗｅの張力に加算される状態になっている。一方の家屋Ｈ１・Ｈ２の引込線Ｗｅの張力が他方の家屋Ｈ３・Ｈ４の引込線Ｗｅの張力を上回れば、他方の家屋Ｈ３・Ｈ４の引込口を破損させる心配がある。
【００１８】
図４（Ａ）に示した例に限定されることなく、メッセンジャーワイヤＷｍの両側に位置する家屋の戸数の均衡が取れていない場合には、一方、又は、他方の家屋の引込口を破損させる心配がある。
【００１９】
図４を参照して、家屋の引込口を破損させないように、メッセンジャーワイヤＷｍの途中分岐から家屋の引込口までの引込線Ｗｅの弛度を１０％程度に施設している。このため、引込線Ｗｅの地上高を下げている。しかし、直接、電柱Ｐから引込線Ｗｅを家屋の引込口に引き込む場合には、その引込線Ｗｅの弛度は、２．５％〜３％程度であり、引込線Ｗｅの弛度を変更することは好ましく無い。例えば、メッセンジャーワイヤＷｍの途中分岐から家屋の引込口までの引込線Ｗｅの距離が５ｍの場合、弛度１０％では、５０ｃｍの弛みが要求される。
【００２０】
図４を参照して、一本のメッセンジャーワイヤＷｍから途中分岐される引込線Ｗｅの施設条数が多くなると、引込線Ｗｅの総張力に抗するため、メッセンジャーワイヤＷｍの線径を太くする必要がある。例えば、メッセンジャーワイヤＷｍをその断面積を２２ｍｍ２から５５ｍｍ２のものに張り替える必要がある。
【００２１】
図４を参照して、一方、メッセンジャーワイヤＷｍの線径を太くすると、電柱Ｐへの引張力が増加するので、電柱Ｐが傾倒しないように、電柱Ｐを支線で支持する工事が必要になる。
【００２２】
メッセンジャーワイヤの途中から引込線を家屋などに引き込む引込線の途中支持工法において、引込線の施設条数が多くなっても、引込線の弛度の変更を必要としない引込線の途中支持工法が求められている。そして、以上のことが本発明の課題といってよい。
【００２３】
本発明は、このような課題に鑑みてなされたものであり、メッセンジャーワイヤの途中から引込線を家屋などに引き込む引込線の途中支持工法において、引込線の施設条数が多くなっても、引込線の弛度の変更を必要としない引込線の途中支持工法を提供することを目的とする。
【課題を解決するための手段】
【００２４】
本発明者は、一組の電柱の間に、二本のメッセンジャーワイヤを張設し、一方のメッセンジャーワイヤから他方のメッセンジャーワイヤと反対側の家屋に引込線を分岐し、他方のメッセンジャーワイヤから一方のメッセンジャーワイヤと反対側の家屋に引込線を分岐することで、引込線の施設条数が多くなっても、引込線の弛度の変更を必要としないと考え、これに基づいて、以下のような新たな引込線の途中支持工法及び引込線の途中支持工法用の支持具を発明するに至った。
【００２５】
（１）本発明による引込線の途中支持工法は、一組の電柱の間に、二本のメッセンジャーワイヤを略平行状態で張設し、一方の前記メッセンジャーワイヤには、一方の前記電柱、又は／及び他方の前記電柱から延設した一つ以上の引込線を懸架すると共に、一方の前記メッセンジャーワイヤの途中から他方の前記メッセンジャーワイヤと反対側に配置された一つ以上の家屋に向けて、前記引込線を分岐し、他方の前記メッセンジャーワイヤには、一方の前記電柱、又は／及び他方の前記電柱から延設した一つ以上の引込線を懸架すると共に、他方の前記メッセンジャーワイヤの途中から一方の前記メッセンジャーワイヤと反対側に配置された一つ以上の家屋に向けて、前記引込線を分岐する。
【００２６】
（２）二本の前記メッセンジャーワイヤを地上から略同じ高さに施設することが好ましい。
【００２７】
（３）本発明による引込線の途中支持工法用の支持具は、電柱の外周を包囲自在に締結するバンド部材と、前記バンド部材と揺動自在に連結する一山クレビス形の第１支持部を一端部に有し、一山クレビス形の第２支持部を他端部に有するリンク部材と、前記リンク部材の第２支持部揺動自在に連結する二山クレビス形の第３支持部を頂点部に有し、ねじ取り付け穴を底辺部の両端部に開口した三角体状のヨーク部材と、前記ねじ取り付け穴に締結自在な雄ねじ部を軸部に有し、一山クレビス形の第４支持部を頭部に有するアイボルトと、前記アイボルトの第４支持部と揺動自在に連結する二山クレビス形の第５支持部を一端部側に有し、メッセンジャーワイヤを巻き掛け自在なＵ字状の溝を外周に形成したシンブルを他端部側に有する引留部材と、を備える。
【００２８】
（４）一組の電柱の間に、一対の前記ヨーク部材を対向配置していることが好ましい。
【発明の効果】
【００２９】
本発明による引込線の途中支持工法は、一組の電柱の間に、二本のメッセンジャーワイヤを張設し、一方のメッセンジャーワイヤから他方のメッセンジャーワイヤと反対側の家屋に引込線を分岐し、他方のメッセンジャーワイヤから一方のメッセンジャーワイヤと反対側の家屋に引込線を分岐しているので、一方のメッセンジャーワイヤが負担する家屋への引込線の張力が他方のメッセンジャーワイヤへの影響を軽減できる。これにより、引込線の弛度の変更を必要としない。
【図面の簡単な説明】
【００３０】
【図１】本発明の一実施形態による引込線の途中支持工法の装柱状態を示す平面図である。
【図２】図１の要部を拡大した平面図である。
【図３】前記実施形態による引込線の途中支持工法用の支持具の構成を示す斜視分解組立図である。
【図４】従来技術による引込線の途中支持工法の装柱状態を示す図であり、図４（Ａ）は、装柱状態を示す平面図、図４（Ｂ）は、装柱状態を示す正面図である。
【図５】従来技術による引込線の途中支持工法で使用される絶縁ハンガーの構成を示す図であり、図５（Ａ）は、絶縁ハンガーの正面図、図５（Ｂ）は、絶縁ハンガーの右側面図である。
【図６】従来技術による引込線の途中支持工法で使用されるバインドレス碍子の構成を示す斜視図である。
【発明を実施するための形態】
【００３１】
以下、図面を参照して本発明を実施するための形態を説明する。
［引込線の途中支持工法用の支持具の構成］
最初に、本発明の一実施形態による引込線の途中支持工法用の支持具の構成を説明する。
【００３２】
図１は、本発明の一実施形態による引込線の途中支持工法の装柱状態を示す平面図である。図２は、図１の要部を拡大した平面図である。図３は、前記実施形態による引込線の途中支持工法用の支持具の構成を示す斜視分解組立図である。
【００３３】
なお、従来技術で用いた符号と同じ符号を有する構成品は、その作用を同じとするので、説明を省略することがある。
【００３４】
図１から図３を参照すると、本発明の一実施形態による引込線の途中支持工法用の支持具（以下、支持具と略称する）１０は、帯状のバンド部材１とリンク部材２を備えている。支持具１０は、三角体状のヨーク部材３、一組のアイボルト４・４、及び、一組の引留部材５・５を備えている。
【００３５】
図２又は図３を参照すると、バンド部材１は、円弧状に形成したバンド本体１１と一対のバンド片１２・１２で構成している。バンド本体１１は、外周の一部が開口している。バンド本体１１の両端部を拡げることで、電柱Ｐをバンド本体１１の内部に導入できる。
【００３６】
図２又は図３を参照すると、バンド片１２は、バンド本体１１の端部と重なる湾曲部１２ａを一端部側に形成している。又、バンド片１２は、電柱Ｐの外周方向に向けて突出した突出部１２ｂを他端部側に形成している。一対の突出部１２ｂ・１２ｂは、所定の間隔を設けて対向配置できる。
【００３７】
図３を参照すると、バンド本体１１は、複数の皿穴１１ｈを外周方向に配列している。一方、バンド片１２は、複数のねじ穴１２ｈを湾曲部１２ａに開口している。適宜な位置の皿穴１１ｈとねじ穴１２ｈを一致させた状態で、バンド本体１１の内部から皿穴１１ｈに皿ねじ１３を挿通し、ナット部材を締結することで、バンド本体１１と一対のバンド片１２・１２を一体に固定できる。
【００３８】
図２又は図３を参照して、一対の突出部１２ｂ・１２ｂが互いに近づくように、一対の突出部１２ｂ・１２ｂをボルト部材１４とナット部材で締結することで、バンド本体１１は、電柱Ｐを緊締できる。
【００３９】
図２又は図３を参照すると、リンク部材２は、一山クレビス形の第１支持部２１を一端部に有している。又、リンク部材２は、一山クレビス形の第２支持部２２を他端部に有している。
【００４０】
図３を参照すると、第１支持部２１は、略円形の第１貫通穴２１ｈを開口している。同様に、第２支持部２２は、略円形の第２貫通穴２２ｈを開口している。第１支持部２１を一対の突出部１２ｂ・１２ｂの間に配置し、第１貫通穴２１ｈにボルト部材１４を挿通することで、バンド部材１に対して、リンク部材２を揺動自在に連結できる（図２参照）。
【００４１】
図２又は図３を参照すると、ヨーク部材３は、二山クレビス形の第３支持部３１を頂点部に有している。又、ヨーク部材３は、ねじ取り付け穴３２ｈを底辺部３２の両端部に開口している。
【００４２】
図３を参照すると、第３支持部３１は、略円形の第３貫通穴３１ｈを開口している。第３貫通穴３１ｈと第２支持部２２の第２貫通穴２２ｈを一致した状態で、コッター３１ｐを挿通することで、リンク部材２とヨーク部材３を揺動自在に連結できる（図２参照）。
【００４３】
図２又は図３を参照すると、アイボルト４は、雄ねじ部４１ｆを軸部に有している。又、アイボルト４は、一山クレビス形の第４支持部４２を頭部に有している。第４支持部４２は、略円形の第４貫通穴４２ｈを開口している（図３参照）。
【００４４】
図２又は図３を参照して、雄ねじ部４１ｆをねじ取り付け穴３２ｈに挿通し、一組のナット部材を雄ねじ部４１ｆに螺合し、ヨーク部材３の底辺部３２を挟持できる。アイボルト４は、ヨーク部材３の底辺部３２から第４支持部４２の突出量を調整できる。
【００４５】
図２又は図３を参照すると、引留部材５は、二山クレビス形の第５支持部５１を一端部側に有している。又、引留部材５は、シンブル５２を他端部側に有している。第５支持部５１は、略円形の第５貫通穴５１ｈを開口している（図３参照）。
【００４６】
図３を参照して、第５貫通穴５１ｈと第４支持部４２の第４貫通穴４２ｈを一致した状態で、コッター５１ｐを挿通することで、アイボルト４に対して、引留部材５を揺動自在に連結できる（図２参照）。
【００４７】
図３を参照すると、シンブル５２は、Ｕ字状の溝５２ｄを外周に形成している。溝５２ｄには、メッセンジャーワイヤＷｍを巻き掛けできる（図１参照）。メッセンジャーワイヤＷｍの端末をシンブル５２に巻き掛けし、ループしたメッセンジャーワイヤＷｍの端末を閉じることで、メッセンジャーワイヤＷｍをシンブル５２に係留できる（図１参照）。
【００４８】
図１を参照すると、一組の電柱Ｐ・Ｐの間に、一対のヨーク部材３・３を対向配置している。一組の電柱Ｐ・Ｐの間に、一対の支持具１０・１０を対向配置することで、一組の電柱Ｐ・Ｐの間に、二本のメッセンジャーワイヤＷｍ・Ｗｍを略平行状態で張設できる。
【００４９】
［引込線の途中支持工法］
次に、本発明の一実施形態による引込線の途中支持工法を説明する。最初に、一対の支持具１０・１０を用いて、一組の電柱Ｐ・Ｐの間に、玉碍子Ａｉを介して、二本のメッセンジャーワイヤＷｍ・Ｗｍを略平行状態で張設する（図１参照）。この場合、二本のメッセンジャーワイヤＷｍ・Ｗｍを地上から略同じ高さに施設することが好ましい（図１参照）。又、玉碍子Ａｉは、電柱Ｐの外周から約２ｍの位置に施設することが好ましい（図１参照）。
【００５０】
次に、図１を参照して、複数の絶縁ハンガー８を用いて（図５参照）、一方のメッセンジャーワイヤＷｍに、一方の電柱Ｐから延設した引込線Ｗｅを懸架する。次に、一方のメッセンジャーワイヤＷｍの途中から他方のメッセンジャーワイヤＷｍと反対側に配置された家屋Ｈ１に向けて、引込線Ｗｅを分岐する。この場合、図４（Ｂ）に示したように、途中支持具Ｂｃ及びバインドレス碍子９を用いて、引込線Ｗｅを分岐できる。次に、引込線Ｗｅを家屋Ｈ１の引込口に向かって引き込む。
【００５１】
又、図１を参照して、複数の絶縁ハンガー８を用いて（図５参照）、一方のメッセンジャーワイヤＷｍに、他方の電柱Ｐから延設した引込線Ｗｅを懸架する。次に、一方のメッセンジャーワイヤＷｍの途中から他方のメッセンジャーワイヤＷｍと反対側に配置された家屋Ｈ２に向けて、引込線Ｗｅを分岐する。この場合、図４（Ｂ）に示したように、途中支持具Ｂｃ及びバインドレス碍子９を用いて、引込線Ｗｅを分岐できる。次に、引込線Ｗｅを家屋Ｈ２の引込口に向かって引き込む。
【００５２】
一方、図１を参照して、複数の絶縁ハンガー８を用いて（図５参照）、他方のメッセンジャーワイヤＷｍに、一方の電柱Ｐから延設した引込線Ｗｅを懸架する。次に、他方のメッセンジャーワイヤＷｍの途中から一方のメッセンジャーワイヤＷｍと反対側に配置された家屋Ｈ３に向けて、引込線Ｗｅを分岐する。この場合、図４（Ｂ）に示したように、途中支持具Ｂｃ及びバインドレス碍子９を用いて、引込線Ｗｅを分岐できる。次に、引込線Ｗｅを家屋Ｈ３の引込口に向かって引き込む。
【００５３】
又、図１を参照して、複数の絶縁ハンガー８を用いて（図５参照）、他方のメッセンジャーワイヤＷｍに、他方の電柱Ｐから延設した引込線Ｗｅを懸架する。次に、他方のメッセンジャーワイヤＷｍの途中から一方のメッセンジャーワイヤＷｍと反対側に配置された家屋Ｈ４に向けて、引込線Ｗｅを分岐する。この場合、図４（Ｂ）に示したように、途中支持具Ｂｃ及びバインドレス碍子９を用いて、引込線Ｗｅを分岐できる。次に、引込線Ｗｅを家屋Ｈ４の引込口に向かって引き込む。
【００５４】
図１に示した例に限定されることなく、一方のメッセンジャーワイヤＷｍに、他方の電柱Ｐから延設した引込線Ｗｅを懸架し、一方のメッセンジャーワイヤＷｍの途中から他方のメッセンジャーワイヤＷｍと反対側に配置された家屋Ｈ１に向けて、引込線Ｗｅを分岐することもできる。
【００５５】
又、図１に示した例に限定されることなく、一方のメッセンジャーワイヤＷｍに、一方の電柱Ｐから延設した引込線Ｗｅを懸架し、一方のメッセンジャーワイヤＷｍの途中から他方のメッセンジャーワイヤＷｍと反対側に配置された家屋Ｈ２に向けて、引込線Ｗｅを分岐することもできる。
【００５６】
更に、図１に示した例に限定されることなく、他方のメッセンジャーワイヤＷｍに、他方の電柱Ｐから延設した引込線Ｗｅを懸架し、他方のメッセンジャーワイヤＷｍの途中から一方のメッセンジャーワイヤＷｍと反対側に配置された家屋Ｈ３に向けて、引込線Ｗｅを分岐することもできる。
【００５７】
又、図１に示した例に限定されることなく、他方のメッセンジャーワイヤＷｍに、一方の電柱Ｐから延設した引込線Ｗｅを懸架し、他方のメッセンジャーワイヤＷｍの途中から一方のメッセンジャーワイヤＷｍと反対側に配置された家屋Ｈ４に向けて、引込線Ｗｅを分岐することもできる。
【００５８】
［引込線の途中支持工法の作用］
次に、実施形態による引込線の途中支持工法の作用及び効果を説明する。図１から図３を参照すると、実施形態による引込線の途中支持工法は、一組の電柱Ｐ・Ｐの間に、二本のメッセンジャーワイヤＷｍ・Ｗｍを張設し、一方のメッセンジャーワイヤＷｍから他方のメッセンジャーワイヤＷｍと反対側の家屋Ｈ１・Ｈ２に引込線Ｗｅを分岐し、他方のメッセンジャーワイヤＷｍから一方のメッセンジャーワイヤＷｍと反対側の家屋Ｈ３・Ｈ４に引込線を分岐しているので、一方のメッセンジャーワイヤＷｍが負担する家屋への引込線Ｗｅの張力が他方のメッセンジャーワイヤＷｍへの影響を軽減できる。これにより、家屋の引込口を破損させる心配が無くなる。
【００５９】
又、図１を参照すると、実施形態による引込線の途中支持工法は、メッセンジャーワイヤＷｍの途中分岐から家屋までの弛度を１０％程度にする必要がなく、２．５％〜３％程度で施設することが可能になり、引込線Ｗｅの地上高を上げることができる。
【００６０】
更に、図１を参照すると、実施形態による引込線の途中支持工法は、引込線Ｗｅの施設条数が多くなっても、メッセンジャーワイヤＷｍの線径を太くする必要がない。例えば、メッセンジャーワイヤＷｍをその断面積を２２ｍｍ２から５５ｍｍ２のものに張り替える必要が無い。このため、新規に支線を設置する必要が無い。
【００６１】
本発明による引込線の途中支持工法は、次のような効果がある。
（１）家屋の引込口への張力を軽減できる。
（２）引込線の分岐方向のみ確認すればよいので、途中分岐工事が容易である。
（３）メッセンジャーワイヤの張替えが不要となる。
（４）支線の取り付けが不要となる。
【符号の説明】
【００６２】
１  バンド部材
３  ヨーク部材
５  引留部材
８  絶縁ハンガー
１０  支持具（引込線の途中支持工法用の支持具）
Ｈ１〜Ｈ４  家屋
Ｐ  電柱
Ｗｅ  引込線
Ｗｍ  メッセンジャーワイヤ
【図１】
0006565582.tif 000002
【図２】
0006565582.tif 000003
【図３】
0006565582.tif 000004
【図４】
0006565582.tif 000005
【図５】
0006565582.tif 000006
【図６】
0006565582.tif 000007